(57)【要約】      （修正有）【課題】長袖の着衣の時の洗顔や水仕事の時に、早く楽に袖まくりができる袖まくり兼袖止め具を提供する。【解決手段】物をはさむ大型のはさみの形状をしたもので、湾曲した腕部１、２の側面側に突起部１２、２２を設け、着衣の中に袖口からさし入れ、ハンドル１１、２１を握りしめる力で袖口を押し開き肩の方向に押し上げていく操作で、たやすく、楽に、袖まくりができる様にした。【選択図】図１
0003195719.tif 000002
【実用新案登録請求の範囲】
【請求項１】
後端側に第一ハンドルを有し、湾曲した第一腕部と、後端側に第二ハンドルを有し、湾曲した第二腕部と、前記第一腕部と、前記第二湾部が、係合する様付勢する付勢手段と、
前記第一腕部又は前記第二腕部の少なくとも一方の側面側に突設された突起部を備え、前記付勢手段により前記第一腕部と前記第二腕部が中央近傍に空間を生じて係合する事特徴とする着衣の袖まくり兼袖止め具。
【請求項２】
前記第一腕部及び前記第二腕部の先端に外方に向けて延設された突出片を備える事を特徴とする請求項１に記載の着衣の袖まくり兼袖止め具。
【考案の詳細な説明】
【技術分野】
【０００１】
水仕事に備えて行う長袖の着衣の腕まくりに関する。
【背景技術】
【０００２】
長袖の衣類を着用しているときには水仕事に備えて袖まくりが必要になるが、多くの人は中々しっかりとした袖まくりをしようとしない。それは袖まくりの操作を意外と面倒なものに感じているからではないか。その様な面倒を感じる事のない程に、たやすく袖まくりのできる器具があればよい。
【特許文献１】特開２０００−３１４０１９公報
【考案の概要】
【考案が解決しようとする課題】
【０００３】
洗顔や水仕事に於いて、着衣の袖口を水にぬらしたくないのは誰しも同じであるが、それでいて多くの人は中々事前にしっかりとした着衣の袖まくりをしようとしない。
申し訳程度に袖口をずり上げて洗顔や水仕事を始めるとまだ洗い終わらないその内に袖口がずりおちてくる不都合は多くの人が経験しているのではなかろうか。
人は無精になり易く面倒がり屋である。
面倒と感じる事の無い程にたやすく袖まくりの操作を行う事のできる器具が欲しい。
【課題を解決するための手段】
【０００４】
そこで本考案は物をはさむ大型のはさみの様な形状で湾曲した腕部の側面側に突起部を設け、この突起部を袖口から着衣の中にさしこみ、ハンドルを握りしめる事により着衣の袖口を開き、肩の方向に押し上げていく。この操作によって袖まくりを行う
【考案の効果】
【０００５】
本考案は何よりも袖まくりの操作がたやすく、早く、楽に行う事ができる事である。
湾曲した腕部側面側に突設した突起部を袖口から着衣の中にさし入れ、ハンドルを握りしめる事により、袖口を開きながら肩の方向に押し上げていくだけで抵抗少なく袖まくりを行う事ができる。
特に袖口のせまい着衣、肌着などの袖口をまくり上げる時には合理的で便利である。
また所定の位置までまくり上げた袖口は、ハンドルを握っていた手の力を抜いて手放せば、付勢手段のバネによって湾曲した腕部が手首や腕をはさみ、袖口は即座にその位置に固定され保持され、ずり落ちてきたりしない。
この様にして本考案は袖まくりと、まくり上げた袖口の固定と保持の二つの役目を同時にこなすことができる。
【図面の簡単な説明】
【０００６】
【図１】本考案の湾曲した腕部が閉じた状態の斜視図
【図２】本考案の湾曲した腕部が開いた状態の斜視図
【図３】本考案の湾曲した腕部の先端を外方に延設して成る突出片を示す斜視図である。
【考案を実施するための形態】
【０００７】
本考案は物をはさむ大型のはさみの形状をしたもので、湾曲した腕部側面側に突設された突起部を設け、この突起部を袖口から着衣の中にさし入れ、ハンドルを握りしめる事により着衣の袖口を開き乍ら、肩の方向に押し上げる操作によって着衣の袖まくりができる様にしたものである。
【実施例】
【０００８】
本考案の着衣の袖まくり兼袖止め具は前述の如く物をはさむはさみの形状をしたもので、構造は別紙図の如く、後端側に第一ハンドル１１を有し、湾曲した第一腕部１と、後端側に第二ハンドル２１を有し、湾曲した第二腕部２と、前記第一腕部１と前記第二腕部２が係合する様付勢する付勢手段のバネ３と、前記第一腕部１又は前記第二腕部２の少なくとも一方の側面側に突設され突起部１２，２２とを備え、前記付勢手段のバネ３により、前記第一腕部１と前記第二腕部２が中央近傍に空間を生じて係合する事を特徴とするものである。
【０００９】
本考案を用いて左手首の着衣の袖まくりをするには、図１のハンドル１１，２１を右手に持って握りしめ、図２の如くに第一腕部１、第二腕部２を大きく開く。
この中に右手首を置き、ハンドル１１，２１を握りしめていた右手から力を抜いて手放すと、第一腕部１、第二腕部２は閉じて図１の状態に戻る。
この時、第一腕部１の突起部１２と第二腕部２の突起部２２の先端は、左手首の肌に優しく接触し、軽く圧迫する状態に設計されている。
【００１０】
次に再びハンドル１１，２１を握って第一腕部１の突起部１２、第二腕部２の突起部２２の先端を左手首の袖口から、着衣の中にさしこみ、ハンドル１１，２１を握る手に力を加えながら肩の方向に押し上げていく。
着衣の袖口は前記突起部１２，２２によって押し開かれ着衣の袖口と手首や腕の肌との摩擦が軽減さてるため、袖まくりの操作をたやすく迅速に行う事ができる。
特に肌に密着した着衣、肌着などの袖まくりには合理的でその力を発揮する。
この様にして着衣の袖口を所定の位置までまくり上げたら、ハンドル１１，２１を握った右手から力を抜いて手放せば付勢手段のバネ３により、第一腕部１と第二腕部２がその位置にある手首や腕をはさんで、即座に袖口を固定し保持し、ずり落ちないようにする。
以上の様に本考案は着衣の袖まくりだけではなく、まくり上げた袖口の即座の固定と保持の二役をこなす事のできるものである。
【００１１】
前記に替えて右手の着衣の袖口をまくりあげるには図１の突起部１２，２２が左側にある状態から縦軸にて１８０°回転させたうえで左手にハンドル１１，２１を握って、湾曲した腕部１，２を開き、その中に右手首を置く。
【００１２】
以下は前記同様の要領で、突起部１２，２２の先を右手の着衣の袖口にさし入れ、左手でハンドル１１，２１を握りしめながら右肩の方に押し上げていく。
本実施形態では付勢手段３としてピアノ線のバネを用いている。このバネ３は布団をはさむ程の強力な力は必要としない。まくり上げた袖口を固定し、保持し、ずりおちない様にするだけの能力があればなるべく弱い方が手首に、腕に優しく使い心地が良い。
【００１３】
また、第一腕部１、第二腕部２の側面側に設けた突起部１２，２２は薄い板状で舌の形をしたものを用いて描いたが、手首や腕の肌に優しく触れられるようにすれば線状やレースの形などにすることができる。
また前記の湾曲した腕部の側面側に設けた突起部１２，２２は片側のみに設けた例を示したが、両面に設けておけば右、或いは左のどちらにも持ちかえたり、回転させたりすることなく使用する事ができる。
また、前記突起部１２，２２は手首や腕の肌に直接触れるものであるから触感が優しく、肌に冷たさを感じさせない素材で作られる事が望ましい。
更に人の着衣は多種多様であるから、本考案を用いて袖口をまくり上げて固定、保持しても、袖口の広く大きい着衣であれば、本考案の上をのり越えてたれ下がることもあるかも知れない。
その対策として、図３に示す如く、湾曲した第一腕部、湾曲した第二腕部の先端に、外方に延設した突出片１３，２３を設けた。
【産業上の利用可能性】
【００１４】
本考案は長袖を着衣している時の洗顔や水仕事に備えて着衣の袖口をまくり上げる器具である。人は無精になり易く、面倒がりやでもあるから、着衣の袖まくりにおいてすらもより簡単な方法、より簡単な物を求めていく事になる。
【符号の説明】
【００１５】
１  湾曲した第一腕部
２  湾曲した第二腕部
３  バネ
４  支点
１１第一ハンドル
１２突起部
１３突出片
２１第二ハンドル
２２突起部
２３突出片
【図１】
0003195719.tif 000003
【図２】
0003195719.tif 000004
【図３】
0003195719.tif 000005